(57)【特許請求の範囲】
【請求項１】
上下に壁掛け用取付片が設けられた屋外用機器をハウジングによって密閉する屋外用機器の防水構造において、
前記ハウジングを屋外用機器の背面側および上方側を覆う基台と、この基台の開口部を覆うカバーとによって構成し、
前記基台を背面板と上面板とによって一体に形成し、上面板に先端側に向かって下方に傾斜した傾斜部を設けるとともに周縁に下方に向かって突設された袴部を設け、
前記屋外用機器の壁掛け用取付片のうち下方の壁掛け用取付片をねじによって前記基台の背面板に締結し、前記傾斜部の内側に、上方の壁掛け用取付片を前記基台の背面板とともに挟持する押え部を設けたことを特徴とする屋外用機器の防水構造。
【請求項２】
請求項１記載の屋外用機器の防水構造において、
前記基台の背面板の内側に取り付ける電柱取付用補強板を備え、この電柱取付用補強板に前記屋外用機器の下端を支承する支承部を設けたことを特徴とする屋外用機器の防水構造。
【発明の詳細な説明】
【技術分野】
【０００１】
本発明は、比較的長期にわたって屋外に設置される屋外用機器の防水構造に関するものである。
【背景技術】
【０００２】
従来の屋外用機器の防水構造としては、ベース板と一部に開口部が設けられたアッパーケースと、このアッパーケースの開口部を開閉するカバーとによって筺体が形成され、ベース板とアッパーケースとの間およびアッパーケースとカバーとの間にそれぞれシール材を介在させたものがある（例えば、特許文献１参照）。
【特許文献１】特開２００４−２１４５２９号公報（段落「００１５」〜「００１８」、図３および図５）
【発明の開示】
【発明が解決しようとする課題】
【０００３】
上述した従来の屋外用機器の防水構造においては、シール材によって筺体の内側に浸入する雨水等をある程度阻止することができるが、例えば、長期にわたって電柱等に設置される場合、必ずしも雨水の浸入を確実に阻止するような構造にはなっていない。したがって、この場合は、屋外用機器を防水用のハウジングで密閉するような構造が採用されている。すなわち、ハウジングを屋外用機器の背面側と上方側を覆う基台と、この基台の開口部を覆うカバーとによって構成し、屋外用機器の上下に設けた壁掛け用取付片を基台の背面部にねじによって取り付けるようにしている。このねじの締め付け作業はハウジングからカバーを取り外した状態でハウジングの前方側からドライバーを差し入れて行うため、ねじによって締め付けられる取付片の前方側が開放されていることが必要になる。このため、基台の上面部に雨水が滞留しないように先端に向かって下方に傾斜する傾斜部を設けることや、雨水がハウジング内に浸入しないように上面部の周縁に下方に向かって突設された袴部を設けることができなくなるため、防水が充分でないという問題があった。
【０００４】
本発明は上記した従来の問題に鑑みなされたものであり、その目的とするところは、長期間にわたって屋外に設置されていたとしても防水を確実に行える屋外用機器の防水構造を提供するところにある。
【課題を解決するための手段】
【０００５】
この目的を達成するために、請求項１に係る発明は、上下に壁掛け用取付片が設けられた屋外用機器をハウジングによって密閉する屋外用機器の防水構造において、前記ハウジングを屋外用機器の背面側および上方側を覆う基台と、この基台の開口部を覆うカバーとによって構成し、前記基台を背面板と上面板とによって一体に形成し、上面板に先端側に向かって下方に傾斜した傾斜部を設けるとともに周縁に下方に向かって突設された袴部を設け、前記屋外用機器の壁掛け用取付片のうち下方の壁掛け用取付片をねじによって前記基台の背面板に締結し、前記傾斜部の内側に、上方の壁掛け用取付片を前記基台の背面板とともに挟持する押え部を設けたものである。
【０００６】
請求項２に係る発明は、請求項１に係る発明において、前記基台の背面板の内側に取り付ける電柱取付用補強板を備え、この電柱取付用補強板に前記屋外用機器の下端を支承する支承部を設けたものである。
【発明の効果】
【０００７】
請求項１に係る発明によれば、傾斜部の内側に設けた押え部と基台の背面板とによって上方の壁掛け用取付片を挟持するようにしたことにより、上方の壁掛け用取付片をねじで取り付ける必要がなくなる。このため、ハウジングの上面部に雨水が滞留しないように先端に向かって下方に傾斜する傾斜部を設けることや、雨水がハウジング内に浸入しないように上面部の周縁に下方に向かって突設された袴部を設けることができる。したがって、屋外用機器を長期間にわたって屋外に設置したとしても防水を確実に行うことができる。
【０００８】
請求項２に係る発明によれば、補強板の支承部によって屋外用機器の下端が支承されるため、屋外用機器のハウジングからの脱落を防止することができる。
【発明を実施するための最良の形態】
【０００９】
以下、本発明の実施の形態を図に基づいて説明する。図１は本発明に係る屋外用機器を分解して示す斜視図、図２は同じく屋外用機器をハウジングに収納しハウジングのカバーを取り外した状態を示す正面図、図３は同じく屋外用機器をハウジングに収納した状態の外観を示す斜視図、図４は図２におけるIV-IV 線断面図、図５は図２におけるV-V 線断面図、図６は本発明に係る屋外用機器１を電柱に設置する場合の正面図、図７は図６におけるVII-VII 線断面図である。
【００１０】
図１に全体を符号１で示す屋外用機器は、平板状に形成されたベース板２と、底面側の全体が開口し上面側の一部が開口したアッパーケース３と、このアッパーケース３の上面側の開口部を覆うカバー４とによって概ね構成されている。アッパーケース３の下部開口端面には、図５に示すように、全周にわたって溝３ａが設けられている。この溝３ａ内にはシール材５が嵌入されており、このシール材５がベース板２の開口端面２ａとの間に介装されるように、アッパーケース３はベース板２に、図４に示すようにねじ３ｃによって結合されている。
【００１１】
図１において、６はベース板２の上端にベース板２の平面方向に突設された上部壁掛け用取付片であって、両端部に達磨形に形成された一対のフック孔７，７が設けられている。８はベース板２の下端にベース板２の平面方向に突設された下部壁掛け用取付片であって、図２に示すように中央部にＵ字溝９が設けられている。このように構成された屋外用機器１は、シール材５によって全体が略密閉状態に形成されているが、ベース板２に上部壁掛け用取付片６が設けられているため、図５に示すように、この上部壁掛け用取付片６の表面６ａとアッパーケース３の開口端面３ｂとの接合部１０は上方が開口している。
【００１２】
図２において、１３は受信用アンテナであって、枢軸１３ａを回動中心としてアッパーケース３の一方の側部に回動自在に取り付けられている。１４は送信用アンテナであって、枢軸１４ａを回動中心としてアッパーケース３の他方の側部に回動自在に取り付けられている。この屋内用機器１には、この屋内用機器１が設置された場所から比較的近い場所に設けられている多数の被測定器のデータが無線によって受信用アンテナ１３を介して受信される。一方、受信されたデータは、送信用アンテナ１４を介して、屋内用機器１から比較的遠方に位置するセンターに送信されるように構成されている。
【００１３】
次に、図２ないし図４を用いて、屋外用機器１を防水するためのハウジングについて説明する。図３および図４に全体を符号１５で示すハウジングは、上記した屋内用機器１を密閉するためのものであって、屋外用機器１の背面側と上方側を覆う基台１６と、基台１６の開口部を覆うカバー１７とによって構成されている。基台１６は、上下方向に延在する平板状に形成された背面板１８と、この背面板１８の上端部から略直交する方向に一体に突設された上面板１９とによって形成されている。
【００１４】
２０は背面板１８の上端から上方に突設された壁掛け用取付片であって、達磨形に形成された一対のフック孔２１，２１が設けられている。上面板１９には先端側（矢印Ａ方向）に向かって下方に傾斜した傾斜部２２が設けられており、この傾斜部２２の内側には押え部としての複数のリブ２３が突設されている。このリブ２３の矢印Ｂ方向の端面には、上記した屋外用機器１の上部壁掛け用取付片６を、基台１６の背面板１８と共に挟持する係合面２３ａが形成されている。
【００１５】
また、上面板１９の周縁には、下方に向かって突設された袴部２４が設けられている。上面板１９の傾斜部２２の両端部には、一対の長孔（図示せず）が設けられており、この長孔にはグロメット２５，２５が嵌合されている。上記した受信用アンテナ１３と送信用アンテナ１４とは、このグロメット２５，２５に設けられた孔２５ａ，２５ａからハウジング１５の外側に突出される。
【００１６】
図２および図４において、３０は細長い長方形に形成された金属製の第１の補強板であって、屋外機器１の中央部で幅方向全体にわたって延在するように、ねじ３１によってベース板２の外側に取り付けられている。
【００１７】
次に、このように構成された屋外用機器の防水構造において、屋外用機器をハウジングによって密閉する方法を説明する。上述したように、先ず、第１の補強板３０をねじ３１によって屋外用機器１のベース板２に取り付ける。次いで、屋外用機器１の上部壁掛け用取付片６を基台１６のリブ２３と基台１６の背面板１８との間に挿入する。この状態で、図４に示すように、第１の補強板３０をねじ３３によって基台１６の背面板１８に取り付ける。また、下部壁掛け用取付片８のＵ字溝９に挿通させたねじ３４によって、下部壁掛け用取付片８を背面板１８に取り付ける。
【００１８】
したがって、屋外用機器１は中央部と下部側とがねじ３３，３４によって基台１６の背面板１８に取り付けられ、上部側は上部壁掛け用取付片６が背面板１８とリブ２３の係合面２３ａとに挟持される。すなわち、従来は、仮に上面板１９に傾斜部２２および袴部２４が設けられていたとすると、これら傾斜部２２と袴部２４とによって、上部壁掛け用取付片６をねじ止めするためのねじを回転させるドライバーを矢印Ｂ方向に差し入れることができないから屋外用機器１の上部側を背面板１８に固定することができなかった。これに対し、本発明においては、傾斜部２２の内側にリブ２３を設けたことにより、このリブ２３の係合面２３ａによって屋外用機器１の上部側を背面板１８に固定することができるようになったため、屋外用機器１をハウジング１５に取り付けることができる。
【００１９】
ハウジング１５の開口部をカバー１７で覆い、カバー１７をハウジング１５の背面板１８から突設されたスタッド（図示せず）にねじ止めすることによって、ハウジング１５によって屋外用機器１が密閉される。この状態で、ハウジング１５の壁掛け用取付片２０を介して、上面板１９が上側になるように、屋外用機器１を屋外に設置する。設置された屋外用機器１は、ハウジング１５の上面板１９に傾斜部２２が設けられていることにより、雨水が上面板１９上に滞留することがない。また、上面板１９の周縁に下方に向かって突設された袴部２４を設けたことにより、雨水が袴部２４とカバー１７との接合面からハウジング１５内に侵入するのを阻止することができる。したがって、上述したように、屋外用機器１の上部壁掛け用取付片６の表面６ａとアッパーケース３の開口端面３ｂとの接合部１０が上方に開口しているにもかかわらず、この開口から屋外用機器１内に雨水が浸入するようなことがない。
【００２０】
次に、図６および図７を用いて、屋外用機器１を電柱に設置する場合について説明する。電柱に設置する場合には、壁に取り付けられる場合と異なり背面側からも風にあおられる可能性があるため、壁に取り付けられる場合よりも強固にする必要がある。図６において、３５は長方形に形成された金属製の第２の補強板であって、下端部に直角に折曲形成された支承部３５ａが設けられており、支承部３５ａにはベース板２の下部壁掛け取付片８を挿通させる孔３５ｂが設けられている。３６は断面コ字状に形成されたブラケットであって、背面板１８の外側の中央部に対接され、背面板１８の内側に対接させた第２の補強板３５と共に、ベース板２を挟むようにしてねじ３７によって背面板１８に取り付けられている。
【００２１】
このように背面板１８に取り付けられた第２の補強板３５は、背面板１８の高さ方向全体にわって延在し、支承部３５ａの孔３５ｂに屋外用機器１の下部壁掛け取付片８が挿通され、支承部３５ａが屋外用機器１の下端面に当接している。３８は電柱等に水平状態になるように取り付けられた支柱であって、この支柱３８にブラケット３６を嵌合させることによって、屋外用機器１が電柱に取り付けられる。このように、第２の補強板３５に屋外用機器１の下端を支承する支承部３５ａを設けたことにより、屋外用機器１のハウジング１５からの脱落を防止することができる。
【図面の簡単な説明】
【００２２】
【図１】本発明に係る屋外用機器を分解して示す斜視図である。
【図２】本発明に係る屋外用機器をハウジングに収納しハウジングのカバーを取り外した状態を示す正面図である。
【図３】屋外用機器をハウジングに収納した状態の外観を示す斜視図である。
【図４】図２におけるIV-IV 線断面図である。
【図５】図２におけるV-V 線断面図である。
【図６】本発明に係る屋外用機器１を電柱に設置する場合の正面図である。
【図７】図６におけるVII-VII 線断面図である。
【符号の説明】
【００２３】
１…屋外用機器、２…ベース板、３…アッパーケース、６…上部壁掛け用取付片、８…下部壁掛け用取付片、１５…ハウジング、１６…基台、１７…カバー、１８…背面板、１９…上面板、２２…傾斜部、２３…リブ（押え部）、２３ａ…係合面、２４…袴部、３５…第２の補強板、３５ａ…支承部。
【図１】
0004492510.tif 000002
【図２】
0004492510.tif 000003
【図３】
0004492510.tif 000004
【図４】
0004492510.tif 000005
【図５】
0004492510.tif 000006
【図６】
0004492510.tif 000007
【図７】
0004492510.tif 000008